(57)【特許請求の範囲】
【請求項１】
リンク部分の上部にトッププレート部分を設けてなる複数のチェーン単体相互を、軸ピンを介して無端状に連結できて、三次元搬送を可能としたラインに使用できるチェーンであって、リンク部分は、前方に向って突出すると共に、湾曲内周面で囲まれる軸受収容空間を有する突出頭部と、後がわに向って突設される一対の脚片部とを備え、一対の脚片部には軸ピンが横架固定されると共に、一対の脚片部の間には他のチェーン単体の突出頭部が軸ピンで貫通された状態に配され、突出頭部は、軸ピンに対して上下方向に揺動自在となると共に、軸ピンに対して左右方向に揺動自在となるように構成され、トッププレート部分は、突出頭部中央部を中心とするような略平面円弧状の分割線を利用して分割された前プレート部と後プレート部とで構成され、後プレート部は、リンク部分の後がわ上部に連設固定され、前プレート部は、その前がわ下面に軸受部が突設されて、リンク部分の前がわ上部に配されると共に、軸受部が突出頭部の軸受収容空間内に収容され、この軸受部は、軸ピンに係止されて、軸受収容空間からの逸脱を阻止できるように形成され、後プレート部が前プレート部に対して左右方向に揺動自在となるように構成したことを特徴とする三次元搬送ライン用チェーン。
【請求項２】
前プレート部の前端縁には突出片を設けると共に、後プレート部の後端縁には突出片に対峙する収容溝を設けて、突出片が収容溝に収容可能となるように構成したことを特徴とする請求項１記載の三次元搬送ライン用チェーン。
【請求項３】
前プレート部の軸受部を前後に分割し、分割された後がわの軸受部を後軸受駒部として、前プレート部に連設し、分割された前がわの軸受部を前軸受駒体として、前プレート部とは別体に構成し、この前軸受駒体を適宜材料によって形成できるように構成したことを特徴とする請求項１または請求項２記載の三次元搬送ライン用チェーン。
【請求項４】
前軸受駒体を、低磨耗材や、含油率の高い材料によって構成したことを特徴とする請求項３記載の三次元搬送ライン用チェーン。
【請求項５】
前プレート部及び後軸受駒部を、適宜弾性を備えた材料によって構成したことを特徴とする請求項３または請求項４記載の三次元搬送ライン用チェーン。
【発明の詳細な説明】
【０００１】
【発明の属する技術分野】
本発明は、リンク部分の上部にトッププレート部分を設けてなる複数のチェーン単体相互を、軸ピンを介して無端状に連結し、例えば、飲料品や、食品や、医薬品や、その他の適宜搬送物をトッププレート部分上面に安定的に載置すると共に、これらを三次元的に搬送できるように構成された三次元搬送ライン用チェーンに関する。
【０００２】
【従来の技術】
従来、この種のリンク部分の上部にトッププレート部分を設けてなる搬送ライン用チェーンにあっては、種々のものが提供されており、例えば、実開平２−１４５２１７号公報に記載されているようなコンベアに於けるスラット型チェーン装置がある。これは、リンク上面にスラットを設け、該リンクを多数連結したコンベアに於いて、前記スラットの前端部に複数の突設部を設け、該スラットの後端部に前記突設部と対峙する位置であって、且つ、該突設部より大形の切欠部を設け、更に、各リンクの前端部位と隣設するリンクの後端部位とを上下左右回動自在に枢着すると共に、前記スラットの突設部と切欠部との間に一定間隔を有して各リンクを連結したものである。
また、トッププレート部分が略三日月板状を呈し、これを連続配置せしめたような搬送ライン用チェーンが提供されている。
【０００３】
【発明が解決しようとする課題】
しかしながら、前述の如きコンベアに於けるスラット型チェーン装置にあっては、カーブ走行時に隣設するスラット（トッププレート部分）のカーブ外がわ端部の間隔が広がり、この部分の隙間が大きくなって、この隙間部分に搬送物の一部が落ち込んだりする虞れがあり、搬送物の搬送が安定的に行われ難い等の難点があった。特に、この難点は、スラット（トッププレート部分）の幅が広い程顕著に現れるものとなっている。
また、トッププレート部分が略三日月板状を呈する搬送ライン用チェーンにあっては、カーブ走行時に隣設するトッププレート部分のカーブ外がわ端部の間隔が広がらず、この部分の隙間が大きくなるような虞れは無いが、例えば、水平搬送時から傾斜搬送時に、或いは、傾斜搬送時から水平搬送時に変化する場合に、隣設するトッププレート部分の左右端部分が中央部分に比べて大きく上下に変化するようになり、場合によっては、搬送面上の搬送物を突き上げるようになり、搬送物の安定的な搬送が期待できない等の難点があった。
加えて、トッププレート部分が略三日月板状を呈する搬送ライン用チェーンにあっては、例えば、チェーン全体のテンション（張力）が高い場合に、チェーン単体夫々が更に前方に強く引っ張られるとトッププレート部分の前端縁がわや後端縁がわが上方に僅かに持ち上がるような動作を起こす虞れ等があった。しかも、チェーンを駆動せしめるスプロケットとチェーンとの間で、スプロケットの噛み込み音が生じ、これが騒音となる等の難点もあった。
【０００４】
【課題を解決するための手段】
そこで、本発明は、従来存した如上の如き難点等を解消すると共に、比較的広い搬送面を構成でき、傾斜搬送や、スプロケットとの噛み合い時等に、搬送物の突き上げや、引っ掛かりや、転倒等を招く虞れ等がなく、直線走行時でもカーブ走行時でも隣設するトッププレート部分の隙間が一定で且つ小さくて済み、搬送物をより安定的に且つスムーズに搬送でき、しかも、構成が比較的簡素で、製造容易で、量産に適し、低廉で、経済的なものを提供すべく創出されたもので、請求項１記載の三次元搬送ライン用チェーンにあっては、リンク部分の上部にトッププレート部分を設けてなる複数のチェーン単体Ｓ相互を、軸ピンＤを介して無端状に連結できて、三次元搬送を可能としたラインに使用できるチェーンであって、リンク部分は、前方に向って突出すると共に、湾曲内周面で囲まれる軸受収容空間５を有する突出頭部１と、後がわに向って突設される一対の脚片部２とを備え、一対の脚片部２には軸ピンＤが横架固定されると共に、一対の脚片部２の間には他のチェーン単体Ｓの突出頭部１が軸ピンＤで貫通された状態に配され、突出頭部１は、軸ピンＤに対して上下方向に揺動自在となると共に、軸ピンＤに対して左右方向に揺動自在となるように構成され、トッププレート部分は、突出頭部１中央部を中心とするような略平面円弧状の分割線を利用して分割された前プレート部Ｂ１と後プレート部Ａ２とで構成され、後プレート部Ａ２は、リンク部分の後がわ上部に連設固定され、前プレート部Ｂ１は、その前がわ下面に軸受部が突設されて、リンク部分の前がわ上部に配されると共に、軸受部が突出頭部１の軸受収容空間５内に収容され、この軸受部は、軸ピンＤに係止されて、軸受収容空間５からの逸脱を阻止できるように形成され、後プレート部Ａ２が前プレート部Ｂ１に対して左右方向に揺動自在となるように構成する手段を採用した。
【０００５】
また、請求項２記載の三次元搬送ライン用チェーンにあっては、前プレート部Ｂ１の前端縁には突出片１０を設けると共に、後プレート部Ａ２の後端縁には突出片１０に対峙する収容溝７を設けて、突出片１０が収容溝７に収容可能となるように構成する手段を採用した。
【０００６】
更に、請求項３記載の三次元搬送ライン用チェーンにあっては、前プレート部Ｂ１の軸受部を前後に分割し、分割された後がわの軸受部を後軸受駒部Ｂ２として、前プレート部Ｂ１に連設し、分割された前がわの軸受部を前軸受駒体Ｃとして、前プレート部Ｂ１とは別体に構成し、この前軸受駒体Ｃを適宜材料によって形成できるように構成する手段を採用した。
【０００７】
そして、請求項４記載の三次元搬送ライン用チェーンにあっては、前軸受駒体Ｃを、低磨耗材や、含油率の高い材料によって構成する手段を採用した。
【０００８】
それから、請求項５記載の三次元搬送ライン用チェーンにあっては、前プレート部Ｂ１及び後軸受駒部Ｂ２を、適宜弾性を備えた材料によって構成する手段を採用した。
【０００９】
【発明の実施の形態】
以下、本発明を図示例に基づいて説明する。
本発明の三次元搬送ライン用チェーンは、例えば、飲料品や、食品や、医薬品や、その他の適宜搬送物を三次元的に搬送できるように構成されたラインに使用されるもので、リンク部分の上部に、その上面が適宜搬送物の搬送面となるトッププレート部分を設けた複数の適宜合成樹脂製チェーン単体Ｓ相互を、適宜金属製の軸ピンＤを介して無端状に連結して構成したものである。
【００１０】
そして、チェーン単体Ｓのリンク部分は、例えば、前方に向って突出している略平面Ｃ字状の湾曲周壁を有する突出頭部１と、この突出頭部１の左右後端から後がわに向って突設される一対の脚片部２とを備え、一対の脚片部２の間には他のチェーン単体Ｓの突出頭部１が配され、一対の脚片部２の後端部に設けた嵌挿孔４に嵌挿固定して横架配設される軸ピンＤが、突出頭部１の湾曲周壁左右に穿設した前後に長い長孔３に遊挿されるように形成してあり、隣設するチェーン単体Ｓ相互に於いて、後がわのチェーン単体Ｓが、軸ピンＤに対して上下方向に揺動自在（軸ピンＤの軸心に対して直交する平面内に於いて、軸ピンＤの軸心を中心として上下に揺動自在）となると共に、軸ピンＤに対して左右方向に揺動自在（軸ピンＤの軸心を含む平面内に於いて、軸ピンＤの長手方向中央を中心として左右に揺動自在）となるように構成されている。尚、突出頭部１の略平面Ｃ字状の湾曲周壁の湾曲内周面で囲まれる部分が軸受収容空間５となっている。
【００１１】
また、チェーン単体Ｓのトッププレート部分は、リンク部に対して左右方向に大きく張出すように構成されており、しかも、突出頭部１中央部を中心とするような略平面円弧状の分割線を利用して分割された略半円板状の前プレート部Ｂ１と、その前端がわが略半円状に切設された矩形板状の後プレート部Ａ２とで構成されている。そして、後プレート部Ａ２は、リンク部分の後がわ上部に一体的に連設固定され、前プレート部Ｂ１は、その前がわ下面に軸受部が突設されて、リンク部分の前がわ上部に配されると共に、その軸受部が突出頭部１の軸受収容空間５内に収容できるように構成されている。しかも、この軸受部は、軸ピンＤに係止されて、軸受収容空間５からの上方への逸脱を阻止できるように形成されている。更に、軸受部は、軸ピンＤに対して上下方向に揺動自在（軸ピンＤの軸心に対して直交する平面内に於いて、軸ピンＤの軸心を中心として上下に揺動自在）で、軸ピンＤに対して左右方向に揺動不能（軸ピンＤの軸心を含む平面内に於いて、軸ピンＤの長手方向中央を中心として左右に揺動不能）となるように形成され、後プレート部Ａ２が前プレート部Ｂ１に対して左右方向に揺動自在となるように構成されている。
すなわち、水平方向に於いて湾曲するように搬送する場合に、後プレート部Ａ２が前プレート部Ｂ１に対して左右方向に揺動し、後プレート部Ａ２前端縁と、前プレート部Ｂ１後端縁との間に隙間ができないように（或いは、隙間ができても一定で且つ極めて小さくなるように）構成されている。特に、図示例のように、トッププレート部分がリンク部に対して左右方向に大きく張出すように構成されていても、水平方向に於いて湾曲するように搬送する場合に、後プレート部Ａ２前端縁と、前プレート部Ｂ１後端縁との間に隙間ができないようになる（或いは、隙間ができても一定で且つ極めて小さくなる。）。
一方、傾斜搬送する場合に、後がわのチェーン単体Ｓの前プレート部Ｂ１前端縁部分と、前がわのチェーン単体Ｓの後プレート部Ａ２後端縁部分とが適宜角度で折曲るような状態となり、一つのチェーン単体Ｓの前プレート部Ｂ１と後プレート部Ａ２とは、一緒に傾斜するように構成されている。
【００１２】
加えて、前プレート部Ｂ１の軸受部は、前後に二分割され、分割された後がわの軸受部は、後軸受駒部Ｂ２として前プレート部Ｂ１に一体的に連設されており、一方、分割された前がわの軸受部は、前軸受駒体Ｃとして前プレート部Ｂ１とは別体に構成され、この前軸受駒体Ｃを適宜材料（例えば、低磨耗材や、含油率の高い材料等）によって形成でき、後軸受駒部Ｂ２及び前プレート部Ｂ１を適宜材料（例えば、含油率の高い材料や、適宜弾性を備えた材料等）によって形成できるように構成されている。すなわち、チェーンの駆動時に突出頭部１の軸受収容空間５の前がわ内周面と軸ピンＤとによって挟まれてかなりの負荷が加えられると共に、軸受収容空間５の前がわ内周面に摺接して損耗し易い前軸受駒体Ｃを、耐久性及び強度の優れた材料や、低磨耗材や、含油率の高い材料等によって構成できるようにしてある。
尚、軸受部を後軸受駒部Ｂ２と前軸受駒体Ｃとに二分割することにより、チェーン全体のテンション（張力）が高く、且つチェーン単体Ｓ夫々が更に前方に強く引っ張られるようになっても、軸ピンＤからの力は前軸受駒体Ｃに伝わるが、前軸受駒体Ｃの力は後軸受駒部Ｂ２及び前プレート部Ｂ１に直接的に影響しないように構成でき、前プレート部Ｂ１の前端縁がわや後端縁がわが上方に僅かに持ち上がるような動作が起こらないように構成できるようになる。
一方、後軸受駒部Ｂ２及び前プレート部Ｂ１に於いて、例えば、含油率の高い材料や、適宜弾性を備えた材料等によって形成した場合に、後軸受駒部Ｂ２では、チェーンに駆動力を伝達するスプロケットとの接触時に滑らかな接触状態が得られるようになったり、静かで騒音を生じない接触状態（噛み込み状態）が得られるようになる。また、前プレート部Ｂ１（及び後軸受駒部Ｂ２）を、摩擦抵抗の大きな材料等（例えば、摩擦抵抗の大きなゴム材等）によって形成した場合は、前プレート部Ｂ１上面と搬送物との摩擦抵抗が大きくなり、傾斜搬送時であっても搬送物が前プレート部Ｂ１上面に対して滑ることなく安定的に搬送できるよう構成することが可能となる。
【００１３】
それから、前プレート部Ｂ１の前端縁には複数の略矩形状の突出片１０を設けると共に、後プレート部Ａ２の後端縁にはこれら突出片１０に対峙する複数の略矩形状の収容溝７を設けて、突出片１０が収容溝７に夫々収容可能となるように構成されている。すなわち、前がわのチェーン単体Ｓの後プレート部Ａ２と、後がわのチェーン単体Ｓの前プレート部Ｂ１との間の隙間を略方形波状に形成して、搬送物の引っ掛かりや、転倒等が生じ難くなるように構成してある。
尚、左右方向中央の突出片１０は、他の突出片１０より幅広に構成され、左右方向中央の収容溝７も、他の収容溝７より幅広に構成されている。しかも、この左右方向中央の突出片１０の上面前端縁部分は、先端がわに行くに従って漸次その厚みが薄くなるように傾斜しており、この傾斜部分は、前方のチェーン単体Ｓの前プレート部Ｂ１の下面後端縁部分に設けた傾斜部分に対応して、前後の前プレート部Ｂ１に於いて、夫々が任意の角度に傾斜しても相互に干渉しないように構成されている。
【００１４】
更に、図に示す本発明の三次元搬送ライン用チェーンのチェーン単体Ｓは、適宜合成樹脂材（或いは、その他の適宜材料）によって一体的に構成されるチェーン基体Ａと、適宜合成樹脂材（或いは、その他の適宜材料）によって一体的に構成されるプレート体Ｂと、適宜合成樹脂材（或いは、その他の適宜材料）によって構成される前軸受駒体Ｃと、適宜金属材（或いは、その他の適宜材料）によって構成される軸ピンＤとによって構成されている。
【００１５】
そして、前記チェーン基体Ａは、前記リンク部分対応するリンク部Ａ１と、後プレート部Ａ２とからなり、後プレート部Ａ２の前がわ上部には、プレート体Ｂの前プレート部Ｂ１が収容載置されるプレート収容凹部６が凹設されている。尚、このプレート収容凹部６は、リンク部の一対の脚片部２に跨がるように連設された後プレート部Ａ２の前がわ上部を切設して構成されており、そのプレート収容凹部６上面に前プレート部Ｂ１が載置されて、前プレート部Ｂ１をより安定的に支持できるように構成されていると共に、リンク部全体の強度及び剛性がより高められるように構成されている。ところで、後プレート部Ａ２は、必ずしもリンク部の一対の脚片部２に跨がるように連設されたものでなくても良く、また、前プレート部Ｂ１は、一対の脚片部２の上部に載置されるように形成したものであっても良い。
【００１６】
前記プレート体Ｂは、前プレート部Ｂ１と後軸受駒部Ｂ２とを一体的に形成して構成されており、後軸受駒部Ｂ２は、突出頭部１の軸受収容空間５の内周面に摺接されるような、例えば、略短半円柱状を呈し、前軸受駒体Ｃとの接合面となる前面中央には、軸ピンＤが係止される略半円横溝状の軸ピン収容溝１１が水平に凹設されている。また、後軸受駒部Ｂ２の前面下部（或いは、前面上部、或いは、前面上部及び前面下部）には、前軸受駒体Ｃとの係止手段となる（上下方向へのズレを阻止する）係止突部１２が突設されている。
尚、図示例に於いて、前プレート部Ｂ１は、後プレート部Ａ２のプレート収容凹部６に載置され、後プレート部Ａ２の下面左右が走行レール等の上を摺動するように構成してあるため、前プレート部Ｂ１に摩擦抵抗の高い材料を使用してもチェーン単体Ｓの走行レールの移動には影響のないものとなる。
【００１７】
前軸受駒体Ｃは、突出頭部１の軸受収容空間５の前がわ内周面に摺接されるような、例えば、略半短円柱状を呈し、前記後軸受駒部Ｂ２との接合面となる後面中央には、軸ピンＤが係止される略半円横溝状の軸ピン収容溝１５が水平に凹設され、後面下部（或いは、後面上部、或いは、後面上部及び後面下部）には、後軸受駒部Ｂ２との係止手段（上下方向へのズレを阻止する）となる係止凹部１６が突設されている。尚、係止凹部１６と係止突部１２は、これを逆に設けても良いし、その寸法、形状、配設位置、数等は適宜自由に設定できるものである。ところで、前軸受駒体Ｃと後軸受駒部Ｂ２の係止突部１２と係止凹部１６は、蟻と蟻溝とで構成したもの（図７参照）、或いは、蟻と蟻溝とを併用したもの等であっても良いし、その他適宜自由な構成とすることができる。
【００１８】
軸ピンＤは、例えば、後端面がわが偏平な円柱状を呈し、その左右端部は、一対の脚片部２の嵌挿孔４に一端嵌挿されると容易に嵌挿孔４から逸脱しないように形成されている。
【００１９】
尚、チェーン単体Ｓの具体的構成、形状、寸法、材質、リンク部分の具体的構成、形状、寸法、材質、プレート部分の具体的構成、形状、寸法、材質、チェーン基体Ａの具体的構成、形状、寸法、材質、リンク部Ａ１の具体的構成、形状、寸法、材質、後プレート部Ａ２の具体的構成、形状、寸法、材質、突出頭部１の具体的構成、形状、寸法、材質、湾曲周壁の具体的構成、形状、寸法、材質、脚片部２の具体的構成、形状、寸法、材質、配設位置、長孔３の具体的構成、形状、寸法、配設位置、嵌挿孔４の具体的構成、形状、寸法、配設位置、軸受収容空間５の具体的構成、形状、寸法、プレート収容凹部６の具体的構成、形状、寸法、収容溝７の具体的構成、形状、寸法、材質、配設位置、数、プレート体Ｂの具体的構成、形状、寸法、材質、分割線の具体的構成、形状、寸法、配設位置、軸受部の具体的構成、形状、寸法、材質、配設位置、前プレート部Ｂ１の具体的構成、形状、寸法、材質、後軸受駒部Ｂ２の具体的構成、形状、寸法、材質、突出片１０の具体的構成、形状、寸法、配設位置、数、軸ピン収容溝１１の具体的構成、形状、寸法、配設位置、係止突部１２の具体的構成、形状、寸法、材質、配設位置、数、前軸受駒体Ｃの具体的構成、形状、寸法、材質、軸ピン収容溝１５の具体的構成、形状、寸法、配設位置、係止凹部１６の具体的構成、形状、寸法、配設位置、数、軸ピンＤの具体的構成、形状、寸法、材質、その両端部分の嵌挿孔４への具体的嵌挿手段等は、図示例のもの等に限定されることなく適宜自由に設定、変更できるものである。
【００２０】
【発明の効果】
従って、請求項１記載の三次元搬送ライン用チェーンは、リンク部分の上部にトッププレート部分を設けてなる複数のチェーン単体Ｓ相互を、軸ピンＤを介して無端状に連結できて、三次元搬送を可能としたラインに使用できるチェーンであって、リンク部分は、前方に向って突出すると共に、湾曲内周面で囲まれる軸受収容空間５を有する突出頭部１と、後がわに向って突設される一対の脚片部２とを備え、一対の脚片部２には軸ピンＤが横架固定されると共に、一対の脚片部２の間には他のチェーン単体Ｓの突出頭部１が軸ピンＤで貫通された状態に配され、突出頭部１は、軸ピンＤに対して上下方向に揺動自在となると共に、軸ピンＤに対して左右方向に揺動自在となるように構成され、トッププレート部分は、突出頭部１中央部を中心とするような略平面円弧状の分割線を利用して分割された前プレート部Ｂ１と後プレート部Ａ２とで構成され、後プレート部Ａ２は、リンク部分の後がわ上部に連設固定され、前プレート部Ｂ１は、その前がわ下面に軸受部が突設されて、リンク部分の前がわ上部に配されると共に、軸受部が突出頭部１の軸受収容空間５内に収容され、この軸受部は、軸ピンＤに係止されて、軸受収容空間５からの逸脱を阻止できるように形成され、後プレート部Ａ２が前プレート部Ｂ１に対して左右方向に揺動自在となるように構成したので、水平方向に於いて湾曲するように搬送する場合には、一つのチェーン単体Ｓの後プレート部Ａ２が前プレート部Ｂ１に対して左右方向に揺動し、後プレート部Ａ２前端縁と、前プレート部Ｂ１後端縁との間に隙間ができず（或いは、隙間ができてもこの隙間は一定で且つ極めて小さくて済み）、搬送物をより安定的に搬送できるようになる。特に、トッププレート部分がリンク部に対して左右方向に大きく張出すように構成した場合であっても、水平方向に於いて湾曲するように搬送する場合に、後プレート部Ａ２前端縁と、前プレート部Ｂ１後端縁との間に隙間ができないようになり（或いは、隙間ができてもこの隙間は一定で且つ極めて小さくて済み）、かなり広い搬送面を構成できるようになり、搬送物をより安定的に搬送できるようになる。
【００２１】
加えて、傾斜搬送する場合には、後がわのチェーン単体Ｓの前プレート部Ｂ１前端縁部分と、前がわのチェーン単体Ｓの後プレート部Ａ２後端縁部分とが適宜角度で折曲るような状態となって、一つのチェーン単体Ｓの前プレート部Ｂ１と後プレート部Ａ２とは、一緒に傾斜するようになり、搬送物下面を突き上げるような不具合がなくなり、搬送物の引っ掛かりや、転倒等を防止できるようになる。しかも、構成が比較的簡素で、製造容易で、量産に適し、低廉で、経済的なものとなる。
【００２２】
また、請求項２記載の三次元搬送ライン用チェーンは、前プレート部Ｂ１の前端縁には突出片１０を設けると共に、後プレート部Ａ２の後端縁には突出片１０に対峙する収容溝７を設けて、突出片１０が収容溝７に収容可能となるように構成したので、前がわのチェーン単体Ｓの後プレート部Ａ２と、後がわのチェーン単体Ｓの前プレート部Ｂ１との間の直線的な連続隙間を略方形波状に形成でき、搬送物の引っ掛かりや、転倒等が生じ難くなって、搬送物をより安定的に搬送できるようになる。
【００２３】
更に、請求項３記載の三次元搬送ライン用チェーンは、前プレート部Ｂ１の軸受部を前後に分割し、分割された後がわの軸受部を後軸受駒部Ｂ２として、前プレート部Ｂ１に連設し、分割された前がわの軸受部を前軸受駒体Ｃとして、前プレート部Ｂ１とは別体に構成し、この前軸受駒体Ｃを適宜材料によって形成できるように構成したので、前軸受駒体Ｃを用途等に応じて種々の材質のものに互換装着できるようになり、例えば、搬送時に突出頭部１の軸受収容空間５の前がわ内周面と軸ピンＤとによって挟まれてかなりの負荷が加えられると共に、軸受収容空間５の前がわ内周面に摺接して損耗し易い前軸受駒体Ｃを、耐久性及び強度の優れた材料や、低磨耗材等によって構成するだけで、チェーン単体Ｓ全体の耐久性及び強度や、耐磨耗性等の向上が簡単に図れるようになる。ひいては、比較的コストの高い耐久性及び強度や、耐磨耗性等の優れた材料は前軸受駒体Ｃだけで済むようになり、チェーン単体Ｓ全体のコストの低減が図れるようになる。しかも、チェーン単体Ｓを自由な組合せによって構成できるようになり、適用範囲の広いものとなる。
特に、軸受部を後軸受駒部Ｂ２と前軸受駒体Ｃとに二分割したので、チェーン全体のテンション（張力）が高く、チェーン単体Ｓ夫々が更に前方に強く引っ張られるようになった場合でも、軸ピンＤからの力が前軸受駒体Ｃに伝わるが、前軸受駒体Ｃの力が後軸受駒部Ｂ２及び前プレート部Ｂ１に影響することがなく、前プレート部Ｂ１の前端がわや後端がわが上方に持ち上がるような動作を起こすことがないものとなる。
【００２４】
加えて、分割された後がわの軸受部を後軸受駒部Ｂ２として、前プレート部Ｂ１に連設したので、プレート体Ｂ自体は、耐久性や強度がそれ程高くない自由な材料で構成することができるようになり、例えば、プレート体Ｂをゴム材等によって構成することで、傾斜搬送時に於いて、搬送物が前プレート部Ｂ１上面に対して滑ることなく安定的に搬送できるようになる。
【００２５】
そして、請求項４記載の三次元搬送ライン用チェーンは、前軸受駒体Ｃを、低磨耗材や、含油率の高い材料によって構成したので、軸受収容空間５や軸ピンＤに対して前軸受駒体Ｃが滑らかに動くようになったり、前軸受駒体Ｃの耐久性が高くなったり、チェーン単体Ｓ全体の寿命が長くなって、メンテナンス等も容易となる。
【００２６】
それから、請求項５記載の三次元搬送ライン用チェーンは、前プレート部Ｂ１及び後軸受駒部Ｂ２を、適宜弾性を備えた材料によって構成したので、チェーンに駆動力を伝達するスプロケットと後軸受駒部Ｂ２との接触時に於いて、スムーズで滑らかな接触状態が得られるようになると共に、静かで騒音を生じない接触状態が得られるようになる。
【図面の簡単な説明】
【図１】本発明の一実施例のチェーンを示す分解斜視図である。
【図２】本発明の一実施例のチェーンを示す平面図である。
【図３】本発明の一実施例のチェーンを示す一部切欠底面図である。
【図４】本発明の一実施例のチェーンを示す縦断側面図である。
【図５】本発明の一実施例のチェーンを示す縦断正面図である。
【図６】本発明の一実施例のチェーンを示す側面図である。
【図７】本発明の一実施例のチェーンを示す部分平断面図である。
【符号の説明】
Ｓ      チェーン単体
Ａ      チェーン基体
Ａ１    リンク部                      Ａ２    後プレート部
１      突出頭部                      ２      脚片部
３      長孔                          ４      嵌挿孔
５      軸受収容空間                  ６      プレート収容凹部
７      収容溝
Ｂ      プレート体
Ｂ１    前プレート部                  Ｂ２    後軸受駒部
１０    突出片                        １１    軸ピン収容溝
１２    係止突部
Ｃ      前軸受駒体
１５    軸ピン収容溝                  １６    係止凹部
Ｄ      軸ピン
【図１】
0003620022.tif 000002
【図２】
0003620022.tif 000003
【図３】
0003620022.tif 000004
【図４】
0003620022.tif 000005
【図５】
0003620022.tif 000006
【図６】
0003620022.tif 000007
【図７】
0003620022.tif 000008